(57)【特許請求の範囲】
【請求項１】
洗濯兼脱水槽の外側に位置して脱水時の水を受ける外槽と、この外槽を洗濯機本体の四隅から弾性支持する吊り下げ手段を備え、前記吊り下げ手段は、その上端部を洗濯機本体の上部に保持する吊り棒と、この吊り棒の底部に取り付けたばね支持板と、前記吊り棒を挿通し外槽との摺接面を有する摺動部材と、下端部が前記ばね支持板に支持され上端部が前記摺動部材の下方部分を締め付けるように内包して支持されるスパイラル状のばね部材とを具備し、前記摺動部材は、前記吊り棒を挿通する挿通穴を含み略鉛直方向に前記外槽との摺接面より下方を分割するスリット部を有し、前記ばね部材の上端部の支持部分と前記外槽との摺接面との間には、外方へ凸の略放射状の複数のリブを配設するとともに、略水平方向に前記挿通穴に連通する開口部を設け、前記複数のリブの下端面が前記ばね部材の上端部を支持するとともに、前記開口部は前記ばね部材の上端部の支持部分をまたがるように上下方向に長い形状とした脱水兼用洗濯機の防振装置。
【発明の詳細な説明】
【０００１】
【発明の属する技術分野】
本発明は、脱水時の水を受ける外槽を弾性支持する脱水兼用洗濯機の防振装置に関するものである。
【０００２】
【従来の技術】
従来、この種の脱水兼用洗濯機の防振装置は、図６から図８に示すように構成していた。以下、その構成について説明する。
【０００３】
図６に示すように、外槽１は、脱水兼洗濯槽２の外側に位置して脱水時の水を受けるものである。外槽１の下部にはモータ３とベルトで連結した減速機４を固着しており、また、外槽１は、洗濯機本体５の四隅から吊り下げ部６を介して防振支持している。
【０００４】
吊り下げ部６は、図７に示すように構成しており、吊り棒７は、洗濯機本体５から外槽１に設けた支持片１ａを介して設け、この吊り棒７の底部で、支持片１ａの下部には摺動部材８を設けている。また、吊り棒７の下部にばね支持板９を設け、このばね支持板９と摺動部材８との間に、圧縮コイルばねで形成したばね部材１０を設けている。
【０００５】
摺動部材８は、図８に示すように、支持片１ａと摺動する摺接面８ａを設けており、略鉛直方向に吊り棒７の挿通穴を含み下方部を分割するスリット部１１を設け、このスリット部１１の上端部は、支持片１ａと摺動する摺接面８ａより上方に位置するようにしている。
【０００６】
摺動部材８は、ばね部材１０による初期締め付け力と、ばね部材１０の圧縮に対する反発力、および支持片１ａからの荷重Ｆによって、スリット部１１が内側にたわみ、吊り棒７と摩擦摺動する。
【０００７】
ここで、摺動部材８のスリット部１１は、十分なたわみによる大きな摩擦抵抗を得ること、およびスリット部１１の上端部の応力集中を軽減するために、スリット部１１の上端部は、比較的剛性の低い摺接面８ａの上方に位置している。
【０００８】
以上のような構成で、給水、洗濯、排水、脱水行程を自動的に行うものである。
【０００９】
【発明が解決しようとする課題】
しかしながら、このような従来の構成では、脱水行程の起動時および定常時において、摺動部材８の摺接面８ａに荷重が加わると、スリット部１１をはさんで左右の摺接面８ａに段差（位相差）が生じ、異常音（コトコト音）が発生するという問題点を有していた。
【００１０】
また、この段差（位相差）により、摺動部材８の摺接面８ａに偏摩耗が発生し、耐久性が落ちるだけでなく、異常音をさらに加速させるという問題点を有していた。
【００１１】
また、この段差（位相差）により、スリット部１１のたわみが不規則になるとともに、吊り棒７との摩擦摺動が不安定となり、洗濯機本体５の振動性能が悪化するという問題点を有していた。
【００１２】
本発明は上記従来の課題を解決するもので、摺動部材のスリット部をはさんで左右の摺接面に段差が生じないようにし、異音や偏摩耗が発生しにくくし、また、段差によるスリット部の不規則なたわみも生じないようにして、安定した摩擦抵抗力を得るようにすることを目的としている。
【００１３】
【課題を解決するための手段】
本発明は上記目的を達成するために、洗濯兼脱水槽の外側に位置して脱水時の水を受ける外槽を洗濯機本体の四隅から吊り下げ手段により弾性支持し、吊り下げ手段は、吊り棒の上端部を洗濯機本体の上部に保持し、この吊り棒の底部にばね支持板を取り付け、吊り棒を挿通し外槽との摺接面を有する摺動部材を有し、下端部がばね支持板に支持され上端部が摺動部材の下方部分を締め付けるように内包して支持されるスパイラル状のばね部材を設けるよう構成し、摺動部材は、吊り棒を挿通する挿通穴を含み略鉛直方向に外槽との摺接面より下方を分割するスリット部を有し、ばね部材の上端部の支持部分と外槽との摺接面との間には、外方へ凸の略放射状の複数のリブを配設するとともに、略水平方向に挿通穴に連通する開口部を設け、複数のリブの下端面がばね部材の上端部を支持するとともに、開口部はばね部材の上端部の支持部分をまたがるように上下方向に長い形状としたものである。
【００１４】
これにより、摺動部材のスリット部をはさんで左右の摺接面に段差が生じないようにできて、異音や偏摩耗が発生しにくくでき、また、段差によるスリット部の不規則なたわみも生じることがなく、安定した摩擦抵抗力を得ることができる。
【００１５】
【発明の実施の形態】
本発明の請求項１に記載の発明は、洗濯兼脱水槽の外側に位置して脱水時の水を受ける外槽と、この外槽を洗濯機本体の四隅から弾性支持する吊り下げ手段を備え、前記吊り下げ手段は、その上端部を洗濯機本体の上部に保持する吊り棒と、この吊り棒の底部に取り付けたばね支持板と、前記吊り棒を挿通し外槽との摺接面を有する摺動部材と、下端部が前記ばね支持板に支持され上端部が前記摺動部材の下方部分を締め付けるように内包して支持されるスパイラル状のばね部材とを具備し、前記摺動部材は、前記吊り棒を挿通する挿通穴を含み略鉛直方向に前記外槽との摺接面より下方を分割するスリット部を有し、前記ばね部材の上端部の支持部分と前記外槽との摺接面との間には、外方へ凸の略放射状の複数のリブを配設するとともに、略水平方向に前記挿通穴に連通する開口部を設け、前記複数のリブの下端面が前記ばね部材の上端部を支持するとともに、前記開口部は前記ばね部材の上端部の支持部分をまたがるように上下方向に長い形状としたものであり、摺動部材の外槽との摺接面にスリット部が位置しないため、摺接面に段差が生じないようにできて、異音や偏摩耗が発生しにくくすることができ、また、この段差によるスリット部の不規則なたわみも生じることがなく、安定した摩擦抵抗力を得ることができる。また、開口部を設けることで、スリット部自体の剛性を低減させ、スリット部の上端部の応力集中を低減することができる。また、開口面積を調整することにより、スリット部のたわみに対する剛性（ばね定数）を変化させ、スリット部のたわみ量を調整し、任意の摩擦抵抗力を得ることができる。さらに、複数のリブおよび開口部を設けたことにより、摺動部材と吊り棒の摩擦熱によって上昇した摺動部材の温度を、複数のリブおよび開口部より放熱し、摩擦摺動部の温度上昇を抑え、摺動部材の溶融を防止することができる。そして、摺動部材自体も比較的高温になりにくくなり、熱による膨張や変形を防ぎ、摩擦抵抗力の温度依存性を低減することができる。
【００１６】
【実施例】
以下、本発明の実施例について、図面を参照しながら説明する。
【００１７】
（実施例１）
図２に示すように、外槽１２は、洗濯兼脱水槽１３の外側に位置して脱水時の水を受けるものである。外槽１２の下部にはモータ１４とベルトで連結した減速機１５を固着している。外槽１２は、洗濯機本体１６の四隅から吊り下げ部（吊り下げ手段）１７を介して防振支持されている。
【００１８】
吊り下げ部１７は図１に示すような構成となっている。吊り棒１８は、洗濯機本体１６から外槽１２に設けた支持片１２ａを介して設け、この吊り棒１８の底部で支持片１２ａの下部に、支持片１２ａと摺接面１９ａを有する摺動部材１９を設けている。ばね支持板２０は吊り棒１８の底部に設け、このばね支持板２０と摺動部材１９との間にスパイラル状のばね部材２１を設けている。
【００１９】
摺動部材１９は、図３に示すように、略鉛直方向に吊り棒１８の挿通穴１９ｂを含み下方部を分割するスリット部２２を有し、支持片１２ａとの摺接面１９ａがスリット部２２の上端部よりも上方に位置している。
【００２０】
上記構成において動作を説明する。洗濯行程が終了し、脱水行程が始まると、洗濯物である衣類の片寄りによるアンバランスによって、洗濯兼脱水槽１３および外槽１２に大きな振動が発生する。この振動は、特に起動時に、外槽１２などの振動体の共振点を通過するときに最大となる。
【００２１】
この振動を抑えるために、摺動部材１９はばね部材２１による初期締め付け力と、外槽１２からの負荷によるばね部材２１の圧縮に対する反発力により、スリット部２２が内側にたわみ、吊り棒１８と摩擦摺動して、振動を減衰させる。
【００２２】
ここで、摺動部材１９の外槽１２との摺接面１９ａにスリット部２２が位置しないため、摺接面１９ａに左右の段差（位相差）が生じることがなく、異音や偏摩耗が発生しにくくなる。また、この段差（位相差）によるスリット部２２の不規則なたわみも生じることなく、安定した摩擦抵抗力を得ることができる。
【００２３】
（実施例２）
図４に示すように、摺動部材２３は、略鉛直方向に吊り棒１８の挿通穴２３ｂを含み下方部を分割するスリット部２４を有し、支持片１２ａとの摺接面２３ａがスリット部２４の上端部よりも上方に位置している。また、略水平方向に挿通穴２３ｂに連通する開口部２５を設けている。他の構成は上記実施例１と同じである。
【００２４】
上記構成において動作を説明する。摺動部材２３はばね部材２１による初期締め付け力と、外槽１２からの負荷によるばね部材２１の圧縮に対する反発力により、スリット部２４が内側にたわみ、吊り棒１８と摩擦摺動し、振動を減衰させる。
【００２５】
ここで、略水平方向に挿通穴２３ｂに連通する開口部２５を設けることにより、摺動部材２３と吊り棒１８の摩擦摺動面積が一定となり、摩擦抵抗力がさらに安定する。また、開口部２５を設けることで、スリット部２４自体の剛性を低減させ、スリット部２４の上端部の応力集中を低減することができる。
【００２６】
また、開口部２５の開口面積を調整することにより、スリット部２４のたわみに対する剛性（ばね定数）を変化させ、スリット部２４のたわみ量を調整し、任意の摩擦抵抗力を得ることができる。
【００２７】
さらに、開口部２５を設けたことにより、摩擦熱を開口部２５より放熱し、摩擦摺動部の温度上昇を抑え、摺動部材２３の溶融を防止することができる。
【００２８】
（実施例３）
図５に示すように、摺動部材２６は、略鉛直方向に吊り棒１８の挿通穴２６ｂを含み下方部を分割するスリット部２７を有し、支持片１２ａとの摺接面２６ａがスリット部２７の上端部よりも上方に位置している。また、摺動部材２６は、その下方部と外槽１２との摺接面２６ａの内側の間に複数の略放射線状リブ２８を配設している。他の構成は上記実施例１と同じである。
【００２９】
上記構成において動作を説明する。摺動部材２６はばね部材２１による初期締め付け力と、外槽１２からの負荷によるばね部材２１の圧縮に対する反発力により、スリット部２７が内側にたわみ、吊り棒１８と摩擦摺動し、振動を減衰させる。
【００３０】
ここで、放射状リブ２８により、摺動部材２６と吊り棒１８の摩擦熱によって上昇した摺動部材２６の温度を効率よく放熱することができ、摺動部材２６の摩擦摺動部の溶融を防止することができる。また、摺動部材２６自体も比較的高温になりにくくなり、熱による膨張や変形を防ぎ、摩擦抵抗力の温度依存性を低減することができる。
【００３１】
【発明の効果】
以上のように本発明の請求項１に記載の発明によれば、洗濯兼脱水槽の外側に位置して脱水時の水を受ける外槽と、この外槽を洗濯機本体の四隅から弾性支持する吊り下げ手段を備え、前記吊り下げ手段は、その上端部を洗濯機本体の上部に保持する吊り棒と、この吊り棒の底部に取り付けたばね支持板と、前記吊り棒を挿通し外槽との摺接面を有する摺動部材と、下端部が前記ばね支持板に支持され上端部が前記摺動部材の下方部分を締め付けるように内包して支持されるスパイラル状のばね部材とを具備し、前記摺動部材は、前記吊り棒を挿通する挿通穴を含み略鉛直方向に前記外槽との摺接面より下方を分割するスリット部を有し、前記ばね部材の上端部の支持部分と前記外槽との摺接面との間には、外方へ凸の略放射状の複数のリブを配設するとともに、略水平方向に前記挿通穴に連通する開口部を設け、前記複数のリブの下端面が前記ばね部材の上端部を支持するとともに、前記開口部は前記ばね部材の上端部の支持部分をまたがるように上下方向に長い形状としたから、摺動部材の外槽との摺接面にスリット部が位置しないため、摺接面に段差（位相差）が生じないようにできて、異音や偏摩耗が発生しにくくすることができ、また、この段差（位相差）によるスリット部の不規則なたわみも生じることがなく、安定した摩擦抵抗力を得ることができる。また、開口部を設けることで、スリット部自体の剛性を低減させ、スリット部の上端部の応力集中を低減することができる。また、開口面積を調整することにより、スリット部のたわみに対する剛性（ばね定数）を変化させ、スリット部のたわみ量を調整し、任意の摩擦抵抗力を得ることができる。さらに、複数のリブおよび開口部を設けたことにより、摺動部材と吊り棒の摩擦熱によって上昇した摺動部材の温度を、複数のリブおよび開口部より放熱し、摩擦摺動部の温度上昇を抑え、摺動部材の溶融を防止することができる。そして、摺動部材自体も比較的高温になりにくくなり、熱による膨張や変形を防ぎ、摩擦抵抗力の温度依存性を低減することができる。
【図面の簡単な説明】
【図１】  本発明の第１の実施例の脱水兼用洗濯機の防振装置の一部切欠した断面図
【図２】  同脱水兼用洗濯機の防振装置を備えた洗濯機の断面図
【図３】  （ａ）同脱水兼用洗濯機の防振装置の摺動部材の側面図
（ｂ）同脱水兼用洗濯機の防振装置の摺動部材の下面図
【図４】  （ａ）本発明の第２の実施例の脱水兼用洗濯機の防振装置の摺動部材の側面図
（ｂ）同脱水兼用洗濯機の防振装置の摺動部材の下面図
【図５】  （ａ）本発明の第３の実施例の脱水兼用洗濯機の防振装置の摺動部材の側面図
（ｂ）同脱水兼用洗濯機の防振装置の摺動部材の下面図
【図６】  従来の脱水兼用洗濯機の防振装置を備えた洗濯機の断面図
【図７】  同脱水兼用洗濯機の防振装置の一部切欠した断面図
【図８】  同脱水兼用洗濯機の防振装置の摺動部材の側面図
【符号の説明】
１２    外槽
１３    洗濯兼脱水槽
１６    洗濯機本体
１７    吊り下げ部（吊り下げ手段）
１８    吊り棒
１９    摺動部材
１９ａ  摺接面
１９ｂ  挿通穴
２０    ばね支持板
２１    ばね部材
２２    スリット部
【図１】
0004472076.tif 000002
【図２】
0004472076.tif 000003
【図３】
0004472076.tif 000004
【図４】
0004472076.tif 000005
【図５】
0004472076.tif 000006
【図６】
0004472076.tif 000007
【図７】
0004472076.tif 000008
【図８】
0004472076.tif 000009